(57)【要約】【課題】計測により得られた現段階での身体特性情報に基づき、使用者にとって必要なダイエットの際の運動内容や食事内容の表示そして、これら内容に基づくダイエットに必要な期間や現段階での運動や食事内容を継続した場合の結果をも表示して使用者にとってより現実的な結果を知ることができる構成を備えたダイエットシミュレーション装置を提供する。【解決手段】現段階での身長、体重などから得られる実身体特性情報を取り込み、この情報に対応する標準的な身体特性情報との偏差を演算処理する制御部２００と、制御部２００からの演算結果を表示するために用いられる操作部３００とを備え、操作部３００では、偏差解消のための条件を変更入力することができ、変更入力された際には変更入力情報を基に再演算して偏差解消条件を再表示できることを特徴としている。【選択図】図２
2007193010.tif 000002
【特許請求の範囲】
【請求項１】
対象者の少なくとも身長、体重および身体インピーダンス等の現状値を計測して実身体特性情報を入力可能な計測入力部と、
上記計測入力部から入力された情報に基づき、少なくとも体脂肪、体水分等を含む対象者の標準的な身体特性情報およびこの標準的な身体特性情報と実身体特性情報との偏差を割り出す演算処理部を備えた制御部と、
上記制御部にて割り出された実身体特性情報と標準的な身体特性情報との偏差を表示可能であるとともに、該偏差を解消するための運動条件あるいは食事の摂取条件を入力可能な操作部とを備え、
上記制御部は、偏差を解消するための運動条件および食事の摂取条件が変更された際に、既に割り出されている偏差解消条件を再演算し、結果を上記操作部にて再表示することを特徴とするダイエットシミュレーション装置。
【請求項２】
請求項１記載のダイエットシミュレーション装置において、
上記制御部は、上記実身体特性情報、標準的な身体的特性情報及びこれらから得られる偏差を模式化して出力可能であり、出力された表示内容を参考に使用者の運動内容、摂食内容が入力されると、偏差解消の可否および解消する場合の必要時間などを再計算して出力可能であることを特徴とするダイエットシミュレーション装置。
【請求項３】
請求項１記載のダイエットシミュレーション装置において、
上記操作部で入力される食事の摂取条件として、既存の料理を用いた食事メニューが用いられ、上記制御部では、該食事メニューに対応したカロリー量に基づき上記偏差を解消するための運動条件あるいは該食事の量を計算した結果を上記操作部を用い表示することを特徴とするダイエットシミュレーション装置。
【請求項４】
請求項１記載のダイエットシミュレーション装置において、
上記制御部では、上記操作部で入力された運動条件あるいは食事の摂取条件に基づき、現段階での偏差に対する縮小度あるいは拡大度に関する履歴を上記操作部にて表示することを特徴とするダイエットシミュレーション装置。
【請求項５】
請求項１乃至４のいずれかに記載のダイエットシミュレーション装置において、
上記操作部は、端末部として異なる演算制御部に接続できる構成であることを特徴とするダイエットシミュレーション装置。
【発明の詳細な説明】
【技術分野】
【０００１】
本発明は、ダイエットシミュレーション装置に関し、さらに詳しくは、ダイエット効果の予測や対比を、使用者の嗜好優先あるいは提案内容の選択優先等のように使用者との間で対話形式が採用可能なダイエットシミュレーション装置に関する。
【背景技術】
【０００２】
近年、食生活改善や運動による健康増進さらには体脂肪減量などが注目されるようになってきている。  
体脂肪率、体脂肪量さらには除脂肪量などのパラメータを計測するとともに、使用者にとっての標準的な上記各パラメータとのずれで求められる肥満度などの情報を表示し、標準値へ移行するための方法として運動量の指導や食事内容の指導を行うことが知られている。
【０００３】
しかし、単に数値を参考しながらの指導だけでは使用者にとってどの程度の効果が体感できるかを知る術がなく、単に意識するという程度で実際のダイエット効果が得られるかどうかを計測した時点で予測することが少なかった。
【０００４】
そこで、使用者の手指により握ることで身体インピーダンスを検知可能な電極部および標準値を割り出すための身長、体重あるいは年齢などの入力部を備えた計測部と、計測された各パラメータに基づき、標準値との偏差を割り出す演算処理部と、演算処理結果に応じて偏差の割合をＬＥＤ等の点灯表示数で警報する一方、偏差を解消するための運動によるカロリー量や食事によるカロリー量を選択表示する表示部とを備え、偏差を解消する運動や食事によって得られるカロリー量を加減した場合の偏差割合の変化をＬＥＤ等の点灯表示数の変化により認識できるダイエットシミュレーション装置が提案されている（例えば、特許文献１）。
【０００５】
【特許文献１】特開平１１−１２６０１５号公報
【発明の開示】
【発明が解決しようとする課題】
【０００６】
上記特許文献１に開示されている構成においては、ダイエットに必要な入力情報に基づき標準値との比較を行い、その比較結果となる偏差を表示してこの偏差を解消するための運動時間や食事の際に摂取すべき必要カロリー量を表示するにすぎない。
【０００７】
このため、例えば、食事の際に摂取するカロリー量はわかっていても、実際の食事の内容までを表示することがないので、使用者は、従前と同じ内容の食事を摂取することもあり、ダイエット効果を感じることができないのが現状である。  
また、食事を例とした場合、従前と同じ内容の摂取量を減らすことはできても、どの程度減らすとよいかという結果や減らした場合にどの程度の期間で偏差を解消できるかという結果がわからないことが多く、使用者はいつまで経ってもダイエット効果を得られないのではという不安やリバウンドなどを招く虞がある。
【０００８】
本発明の目的は、上記従来のダイエットシミュレーション装置における不具合に鑑み、計測により得られた現段階での身体特性情報に基づき、使用者にとって必要なダイエットの際の運動内容や食事内容の表示そして、これら内容に基づくダイエットに必要な期間や現段階での運動や食事内容を継続した場合の結果をも表示して使用者にとってより現実的な結果を知ることができる構成を備えたダイエットシミュレーション装置を提供することにある。
【課題を解決するための手段】
【０００９】
請求項１記載の発明は、対象者の少なくとも身長、体重および身体インピーダンス等の現状値を計測して実身体特性情報を入力可能な入力部と、上記計測入力部から入力された情報に基づき、少なくとも体脂肪、体水分等を含む対象者の標準的な身体特性情報およびこの標準的な身体特性情報と実身体特性情報との偏差を割り出す演算処理部を備えた制御部と、上記制御部にて割り出された入力された実身体特性情報と標準的な身体特性情報との偏差を表示可能であるとともに、表示された偏差を解消するための運動条件あるいは食事の摂取条件を入力可能な操作部とを備え、上記制御部は、偏差を解消するための運動条件および食事の摂取条件が変更された際に既に割り出されている偏差解消条件を再演算し、結果を上記操作部にて再表示することを特徴としている。
【００１０】
請求項２記載の発明は、請求項１記載のダイエットシミュレーション装置において、上記制御部は、上記実身体特性情報、標準的な身体的特性情報及びこれらから得られる偏差を模式化して出力可能であり、出力された表示内容を参考に使用者の運動内容、摂食内容が入力されると、偏差解消の可否および解消する場合の必要時間などを再計算して出力可能であることを特徴としている。
【００１１】
請求項３記載の発明は、請求項１記載のダイエットシミュレーション装置において、上記操作部で入力される食事の摂取条件として、既存の料理を用いた食事メニューが用いられ、上記制御部では、該食事メニューに対応したカロリー量に基づき上記偏差を解消するための運動条件あるいは該食事の量を計算した結果を上記操作部を用い表示することを特徴としている。
【００１２】
請求項４記載の発明は、請求項１記載のダイエットシミュレーション装置において、上記制御部では、上記操作部で入力された運動条件あるいは食事の摂取条件に基づき、現段階での偏差に対する縮小度あるいは拡大度に関する履歴を上記操作部にて表示することを特徴としている。
【００１３】
請求項５記載の発明は、請求項１乃至４のいずれかに記載のダイエットシミュレーション装置において、上記操作部は、端末部として異なる演算制御部に接続できる構成であることを特徴としている。
【発明の効果】
【００１４】
請求項１および３記載の発明によれば、計測入力部から入力される実身体特性情報とこの実身体特性情報に基づく標準的な身体特性情報との偏差を割り出した上で、この偏差を解消するための運動条件あるいは食事の摂取条件、特に請求項２記載の発明においては、食事の摂取条件に用いられる食事メニューが既存の料理を用いた内容であるので、入力可能な操作部においてこれら条件が変更されるのに応じて偏差解消条件が再計算されて再表示される際には、運動条件や食事の摂取条件を使用者とアドバイザーとの間でカウンセリングしながら使用者にとって自らの好みを含めた最適な条件を提示することが可能となる。特に、食事の摂取条件として既存の料理を用いる食事メニューを選択できるようにすることで、より現実化しやすいダイエットシミュレーションを使用者が体感することが可能となる。
【００１５】
請求項２記載の発明によれば、実身体特性情報が入力された際に得られる標準的な身体特性情報との偏差を模式化して出力した際に、出力された表示内容を参考に使用者の運動内容や接触内容を入力することで、偏差解消の可否および解消する場合の必要時間などが再計算されて出力されるので、使用者が現段階での運動内容や接触内容でダイエットが必要であるとされた場合に、その内容の是正などを自覚することが可能となり、ダイエットへの期待度を高めることが可能となる。
【００１６】
請求項４記載の発明によれば、操作部で入力された運動条件や食事の摂取条件に基づき、現段階での偏差に対する縮小度あるいは拡大度が履歴として表示されるので、選択したダイエットプログラムメニューの適否を容易に判断することが可能となり、使用者にとって、選択したダイエットメニューの継続に対して注意や期待をもたせることで苦痛なく、そしてリバウンドなどが少ないダイエット結果を認識させることが可能となる。
【００１７】
請求項５記載の発明によれば、操作部が異なる制御部と接続できるので、予め決められた制御部のみを対象とすることなく、形式の異なる制御部であっても、操作部での表示および入力によるダイエットシミュレーションが可能となる。
【発明を実施するための最良の形態】
【００１８】
以下、実施例により本発明を実施するための最良の形態について説明する。
【実施例】
【００１９】
図１は、本実施例によるダイエットシミュレーション装置のシステム構成を示す図であり、図２は、システム構成のブロック図である。
【００２０】
図１において、ダイエットシミュレーション装置１は、現段階での使用者の実身体特性を計測する計測入力部１００と、計測入力部１００からの情報に基づき標準的な身体特性情報に対する実身体特性情報との偏差を割り出す制御部２００と、制御部２００からの出力内容を表示可能な表示パネルを備えた操作部３００とで構成されている。
【００２１】
計測入力部１００は、基部に体重計１００Ａおよび基部に直立させた支持柱に設けられて手指により把持される電極部１００Ｂを備えた計測部であり、この近傍には、身長、年齢や性別を入力するための操作パネル１００Ｃが設けられている。  
電極部１００Ｂは、図示しないが電流印加部分と電圧検知部とが設けられており、使用者がこれを握った状態で電流を印可した際の抵抗電位を検知することで身体インピーダンスを計測するようになっている。
【００２２】
計測入力部１００が接続されている制御部２００では、入力された身長、年齢および性別を基に、計測した身体インピーダンスから体成分析項目である、標準体重、除脂肪量、筋肉量、体水分量を割り出し、この結果から、肥満診断結果および体水分分析そして、体計評価さらには、標準の身体特性情報、この場合には適正体重からの偏差、いわゆる、体重調節情報として、体重調節量、脂肪調節量、筋肉調節量がそれぞれ演算して求めるようになっている。
【００２３】
制御部２００において演算されて得られた肥満診断および体水分分析そして体形評価さらに体重調節に関する演算結果は、後述する操作部３００に出力され、操作部３００の表示面において、後述するが、図３および図４に示すような模式化と表図とで表される。
【００２４】
操作部３００は、使用者ではなく例えば、スポーツクラブでの指導員あるいはダイエットカウンセラーなどのオペレータが用いて使用者との間でコミニュケーションしながらこれからのダイエットプランを設定するためのものであり、例えば、タッチペン等による画面への直接入力が可能な表示入力部材である。
【００２５】
制御部２００に対する操作部３００の接続は、ＵＳＢやシリアル回線などを用いた接続であるが、制御部２００とこれら回線を用いた場合のデータの共用化が必要となるため、本実施例では、接続される機器間での通信プロトコルを共通化するための変換器（図示されず）を介して制御部２００と操作部３００とが接続されるようになっている。このため、操作部３００は、制御部２００として用いられるマイクロコンピュータが異なる形式であっても通信に用いられる通信プロトコルを解読できることにより常に同じ制御部２００を対象とした接続ではなく、他の制御部２００との接続も可能なものである。
【００２６】
操作部３００では、制御部２００において得られた実身体特性情報、偏差に基づいた内容が表示される。なお、図３以降に示す図の内容は、制御部２００において外部出力機器としてのプリンタが接続されている場合にはプリンタによる出力も可能である。
【００２７】
内容表示の一つとして図３には、実身体特性情報から得られるダイエットに必要なパラメータが、「体成分析」、「肥満診断」、「体水分分析」という項目を設定して実身体特性情報と標準的な身体特性との偏差が判るように棒グラフとして示されている。なお、図３において、右下方に設定されている「体成分」、「体成分の種類」と記載されている枠は、体成分及びこれの種類についての説明が表示されるようになっている。
【００２８】
一方、使用者にとって単に数字の羅列のみでは、現実での運動内容や摂食内容を維持して、例えば運動量を増やすだけでよいのか、あるいは摂食メニューを変更する必要があるのかを即座に判断することが難しい。
【００２９】
そこで、本実施例では、オペレータが使用者とコミュニケートしながら使用者の現実の生活内容を入力することで、偏差の解消が必要ないかどうか、いわゆる、偏差解消の可否、そして、生活内容を維持した場合の偏差の変化さらには偏差解消に必要な時間を表示できるようになっている。  
図４は、この表示内容を示す図であり、同図においは、実身体特性情報から得られた標準的な身体特性情報との偏差の程度を「左右の筋肉バランス」、「体脂肪ＶＳ筋肉量」等の項目で表示され、そして、現段階での使用者の運動内容や摂食内容が「ボディーデザインプラン」という項目において嗜好品の摂取量や食事メニューの摂取量が入力されると、その内容から得られるカロリー量を参考にして制御部２００において再度、標準的な身体特性情報との偏差が演算される。
【００３０】
本実施例では、嗜好品や食事メニューの摂取量を入力するに際して、図示していないが、表示面をスクロールして、既存の料理メニューを図柄化した各品目を表示し、その品目から選択したものを上記の「ボディーデザインプラン」における入力欄に登録する方式が用いられている。
【００３１】
そして、現段階での運動内容や摂食内容に関して、制限できる回数も登録するようになっており、制限回数に基づきカロリー量の減算データが制御部２００に取り込まれて再演算に用いられるようになっている。
【００３２】
再演算により求められた偏差に基づき、「ボディーデザインプラン」の項目には、ダイエットプランとしての各項目、つまり、筋肉強化及びこれに必要な時間（日数）、これが実施された場合の目標減脂肪量、必要筋肉量及びこれが得られる必要時間（週間）、そしてこれら各項目が満たされてダイエットが達成できる予測日を表示する。
【００３３】
さらに、現段階での運動内容や摂食内容が維持された場合の経時（１ヶ月後、１年後）での変化、および現段階での標準的な身体特性における体重と過剰カロリー量とが表示され、ダイエットプランが実行されない場合の現段階からの経時的な変化、換言すれば、標準的な身体特性情報に対する偏差の拡大状態を予測した値も表示するようになっている。
【００３４】
このように、操作部３００では、実身体特性情報に基づく標準的な身体特性情報との偏差を表示するだけでなく、現段階での運動内容や摂食内容による偏差解消の可否、つまりダイエットが必要かどうかを偏差の拡大状態により表示するとともにダイエットを行う場合の必要時間を表示できることにより、使用者は、現段階での運動内容や摂食内容での偏差解消の可能性の有無、そして、自らが設定した運動条件や摂食条件に基づくダイエット効果を容易に判断することが可能となる。特に、一般的に行われている食事メニューに基づくカロリー量の提示だけでなく、使用者の嗜好に合わせた項目を選択できることで、現実とかけ離れた摂食内容への変更などを要することがないので、使用者にとってダイエットへの苦痛を軽減することが可能となる。
【００３５】
操作部３００での「ボディーデザインプラン」、いわゆる、ダイエットプランを設定しようとした場合、オペレータは、使用者に対してダイエットプログラム、つまり、偏差解消のためのプログラムとして、（１）オペレータ自身の経験則に基づく、おすすめプログラムメニュー、（２）おすすめ食品メニューやサプリメント、（３）有酸素運動メニュー、（４）筋肉トレーニングメニューなどを提案することにより、入力項目の変更ができるようにして偏差解消までの時間を変化させることができる。
【００３６】
一方、操作部３００では、前述したボディーデザインプログラム、いわゆる、ダイエットプログラムに従って使用者が運動条件あるいは摂食条件を実行した場合、ダイエットの効果を確認する表示が行えるようになっている。
【００３７】
本実施例では、ダイエットの効果を確認する場合、先に説明した場合と同様に、計測入力部１００において実身体特性情報を制御部２００に入力する。
【００３８】
制御部２００では、登録保存してある使用者のボディーデザインプラン中の各種データを読み出して今回の実身体特性情報と比較し、標準的な身体特性情報に対する偏差の傾向を判別してその結果を履歴情報として表示するようになっている。
【００３９】
図５乃至図１０は、操作部３００での表示内容をそれぞれ示す図であり、図５は、図３において示した「肥満診断」および図４において示した「体重と目標体重の変化」、「体脂肪ＶＳ筋肉量」に関係するパラメータの履歴を示しており、図６は、体組成に影響するパラメータである、図３において示した「体成分分析」及び図４における「体脂肪ＶＳ筋肉量」に関係するパラメータの履歴を示し、図７は、「体水分分析」および図４における「左右の筋肉バランス」に関係するパラメータの履歴を示し、図８は、図３における「体形評価」及び図４における「体脂肪ＶＳ筋肉量」に関係するパラメータの履歴を示しており、さらに、図９は、図３における「体重調節」及び図４における「体脂肪ＶＳ筋肉量」に関係するパラメータを示している。図４における「体脂肪ＶＳ筋肉量」に関しては、前回よりもダイエット効果が出たと判断される場合には、運動内容あるいは摂食内容を更新することもでき、この場合には、操作部３００において再入力することができる。
【００４０】
なお、図１０は、履歴に基づきオペレータによる総合評価を登録する欄を示しており、今回あるいは今後での指導内容などを入力することができる。
【００４１】
本実施例は以上のような構成であるから、制御部２００での手順を示すフローチャートに基づき作用を説明すると図１１に示す通りである。
【００４２】
まず、使用者が計測入力部１００を使用して、実身体特性情報としての身長、体重、年齢および性別などの現状値を登録する（ＳＴ１）。
【００４３】
これら実身体特性情報は制御部２００に入力され（ＳＴ２）、制御部２００では、実身体特性情報から標準的な身体特性情報を割り出す（ＳＴ３）。
【００４４】
制御部２００では、標準的な身体特性情報が、図示しないＲＯＭ等から取り込まれると、これに対する実身体特性情報との偏差が演算され（ＳＴ４）、その結果が標準身体特性情報に対する偏差傾向として、図３及び図４に示した項目内容として操作部３００に出力される（ＳＴ５）。  
この結果は、制御部２００であるマイクロコンピュータに接続される周辺機器としてのプリンタなどを用いても出力することもできる。
【００４５】
このような結果が操作部３００において表示されると、オペレータが使用者に対してダイエットプログラムに相当するボディーデザインプラン、つまり、上記（１）〜（４）に挙げた内容を提案することになる。
【００４６】
ボディープランを提案する場合、上記（１）〜（４）に挙げた内容に基づき、具体的なメニューを設定する場合と、これら各内容を変更する場合とが選択されることがある。前者の場合は、図４において示した「ボディーデザインプラン」内での「運動頻度」や、摂食メニューの「制限回数」などを具体的に決める場合が相当し、後者の場合は、例えば、運動メニューをジョギングからウォーキングに変えるとか摂食メニューを、提示された内容から変更する場合が相当する。
【００４７】
制御部２００では、いずれかが選択されて決定されると（ＳＴ６）、選択された運動条件あるいは摂食メニューから得られるカロリー量に基づき標準的な身体特性情報との偏差を再演算し（ＳＴ７）、得られた偏差を解消するための必要時間やエネルギー量を登録保存するとともに、操作部３００において図４に示した各項目を表示する（ＳＴ８）。
【００４８】
一方、上述した手順によりボディーデザインプランに基づくダイエットプログラムが設定され、これに従って使用者がプログラムを実行する過程で、どの程度のダイエット効果があったかを確認したりあるいは効果があったことを確認して条件を軽減するなどのように内容を変更する場合がある。そこで、本実施例では、計測入力が再度行われたかどうかを判別し（ＳＴ９）、内容変更のために実身体特性情報取得のために再計測が行われた場合には、再計測入力により得られた実身体特性情報と標準的な身体特性情報との偏差を演算し、今回の偏差傾向と前回の偏差傾向である登録保存データとの対比が行われて図５乃至図１９に示した内容が履歴表示される（ＳＴ１０）。
【００４９】
対比履歴が表示されると、条件変更があったかどうかが判別される（ＳＴ１１）。この処理は、ダイエット効果があった場合には今までとは違う条件を設定して目標達成までの時間を変更するなどの場合に対処するためであり、貢献変更された場合には、ステップＳＴ２以降の処理が行われ、条件変更がない場合には処理を終了する。
【００５０】
本実施例においては、実身体特性情報に基づき標準的な身体特性情報との偏差を表示するだけでなく、その状態が維持された場合の結果、つまり、肥満増大傾向なども表示できるので、使用者に対してダイエットが必要である裏付けを確信させることが可能となる。
【００５１】
なお、本実施例では、制御部２００と操作部３００とが個別の構成とした場合を説明しているが、例えば、図２において二点鎖線で示すように、操作部３００内に制御部２００を組み込んで計測入力部１００と接続できるようにした構成とすることも可能であり、この構成においてはポータブルなダイエットシミュレーション装置とすることが可能となる。
【図面の簡単な説明】
【００５２】
【図１】本発明実施例によるダイエットシミュレーション装置のシステム構成を説明するための模式図である。
【図２】図１に示したシステム構成を示すブロック図である。
【図３】操作部３００で表示される表示内容の一例を示す図である。
【図４】操作部３００で示される表示内容の他の例を示す図である。
【図５】操作部３００で示されるシミュレーション内容に関する更新履歴状態の一つを表す図である。
【図６】操作部３００で示されるシミュレーション内容に関する更新履歴状態の別の一つを表す図である。
【図７】操作部３００で示されるシミュレーション内容に関する更新履歴状態の他の例を表す図である。
【図８】操作部３００で示されるシミュレーション内容に関する更新履歴状態の他の一つを表す図である。
【図９】操作部３００で示されるシミュレーション内容に関する表示の一つを表す図である。
【図１０】操作部３００で示される総合評価欄を示す図である。
【図１１】制御部２００の作用を説明するためのフローチャートである。
【符号の説明】
【００５３】
１００  計測入力部
２００  制御部
３００  操作部
【図１】
2007193010.tif 000003
【図２】
2007193010.tif 000004
【図３】
2007193010.tif 000005
【図４】
2007193010.tif 000006
【図５】
2007193010.tif 000007
【図６】
2007193010.tif 000008
【図７】
2007193010.tif 000009
【図８】
2007193010.tif 000010
【図９】
2007193010.tif 000011
【図１０】
2007193010.tif 000012
【図１１】
2007193010.tif 000013